(57)【要約】【課題】動画提供方法および動画提供システムを開示する。【解決手段】コンピュータで実現される動画提供方法であって、第１動画の再生前または再生途中に前記第１動画に対して提供された第２動画を再生し、前記第２動画の再生が終了または中断すると前記第１動画を再生し、前記第１動画が再生されている間に前記第２動画をリコール（ｒｅｃａｌｌ）するためのリコールＵＩ（ｕｓｅｒ  ｉｎｔｅｒｆａｃｅ）を活性化し、前記リコールＵＩによる前記第２動画に対するリコール要請時に前記第２動画を再び再生することを含む動画提供方法が提供される。【選択図】図１３
2015106917.tif 000002
【特許請求の範囲】
【請求項１】
コンピュータで実現される動画提供方法であって、
第１動画の再生前または再生途中に前記第１動画に対して提供された第２動画を再生し、
前記第２動画の再生が終了または中断すると前記第１動画を再生し、
前記第１動画が再生されている間に前記第２動画をリコール（ｒｅｃａｌｌ）するためのリコールＵＩ（ｕｓｅｒ  ｉｎｔｅｒｆａｃｅ）を活性化し、
前記リコールＵＩによる前記第２動画に対するリコール要請時に前記第２動画を再び再生するステップ
を含む、動画提供方法。
【請求項２】
前記リコールＵＩを活性化することは、
前記第１動画が再生される画面上にバナー（ｂａｎｎｅｒ）形態で構成された前記リコールＵＩを表示すること
を特徴とする、請求項１に記載の動画提供方法。
【請求項３】
前記リコールＵＩを活性化することは、
前記第１動画が再生されている途中に一時停止状態になると、前記第１動画が一時停止された画面上に前記リコールＵＩを表示すること
を特徴とする、請求項１に記載の動画提供方法。
【請求項４】
前記リコールＵＩを活性化することは、
前記第１動画が再生される画面で前記第１動画と関連するＵＩが活性化すると、前記画面上に前記リコールＵＩを表示すること
を特徴とする、請求項１に記載の動画提供方法。
【請求項５】
前記リコールＵＩは、前記第１動画と関連するＵＩが表示される領域または前記領域と隣接した領域に表示されること
を特徴とする、請求項４に記載の動画提供方法。
【請求項６】
前記第２動画を再生することは、
前記第２動画が再生される画面上にイメージまたはテキスト形態で製作された第２動画タイトルを表示し、
前記リコールＵＩを活性化することは、
前記第１動画が再生される画面上に前記第２動画タイトルと同一あるいは類似した形状のバナーで構成された前記リコールＵＩを表示すること
を特徴とする、請求項１に記載の動画提供方法。
【請求項７】
前記第２動画を再び再生することは、
前記第１動画が再生される画面を前記第２動画が再生される画面に切り換えたり、前記第１動画が再生される画面上に前記第２動画が再生される画面をレイヤ形態で表示すること
を特徴とする、請求項１に記載の動画提供方法。
【請求項８】
前記第２動画は、前記第１動画の再生前または再生途中に提供される広告映像であることを特徴とする、請求項１に記載の動画提供方法。
【請求項９】
コンピュータで実現される動画提供方法であって、
ユーザの端末機に提供された第１動画の再生前または再生途中に前記端末機に第２動画を提供し、
前記端末機で前記第２動画の再生が終了または中断された後、前記第１動画が再生されている間に前記第２動画に対するリコールバナー（ｒｅｃａｌｌ  ｂａｎｎｅｒ）を提供し、
前記端末機から前記リコールバナーを通じて前記第２動画に対するリコール要請が受信されると、前記端末機に前記第２動画を再び提供すること
を含む、動画提供方法。
【請求項１０】
前記第２動画に対するリコールバナーを提供することは、
前記端末機で前記第１動画が再生されている途中に一時停止状態になったり、前記第１動画と関連するＵＩが活性化すると、前記リコールバナーを提供すること
を特徴とする、請求項９に記載の動画提供方法。
【請求項１１】
前記第２動画は、前記第２動画が再生される画面上にイメージまたはテキスト形態で製作された第２動画タイトルが表示されるように構成され、
前記第２動画に対するリコールバナーを提供することは、
前記第２動画タイトルと同一あるいは類似した形状で構成された前記リコールバナーを提供すること
を特徴とする、請求項９に記載の動画提供方法。
【請求項１２】
請求項１〜１１のうちいずれか一項の方法をコンピュータに実行させるためのプログラムが記録されていることを特徴とする、コンピュータで読み取り可能な記録媒体。
【請求項１３】
少なくとも１つのプログラムがローディングされたメモリ、および
少なくとも１つのプロセッサ
を備え、
前記少なくとも１つのプロセッサは、前記プログラムの制御に応じ、
第１動画の再生前または再生途中に前記第１動画に対して提供された第２動画を再生する過程、
前記第２動画の再生が終了または中断すると前記第１動画を再生する過程、
前記第１動画が再生されている間に前記第２動画をリコールするためのリコールＵＩを活性化する過程、および
前記リコールＵＩによる前記第２動画に対するリコール要請時に前記第２動画を再び再生する過程
を処理し、
前記リコールＵＩを活性化する過程は、
前記第１動画が再生される画面上にバナー形態で構成された前記リコールＵＩを表示すること
を特徴とする、動画提供システム。
【請求項１４】
少なくとも１つのプログラムがローディングされたメモリ、および
少なくとも１つのプロセッサ
を備え、
前記少なくとも１つのプロセッサは、前記プログラムの制御に応じ、
ユーザの端末機に提供された第１動画の再生前または再生途中に前記端末機に第２動画を提供する過程、
前記端末機で前記第２動画の再生が終了または中断した後、前記第１動画が再生されている間に前記第２動画に対するリコールバナーを提供する過程、および
前記端末機から前記リコールバナーを通じて前記第２動画に対するリコール要請が受信されると、前記端末機に前記第２動画を再び提供する過程
を処理することを特徴とする、動画提供システム。
【請求項１５】
第１動画の再生前または再生途中に前記第１動画に対して提供された第２動画を再生し、
前記第２動画の再生が終了または中断すると前記第１動画を再生し、
前記第１動画が再生されている間に前記第２動画をリコール（ｒｅｃａｌｌ）するためのリコールＵＩ（ｕｓｅｒ  ｉｎｔｅｒｆａｃｅ）を活性化し、
前記リコールＵＩによる前記第２動画に対するリコール要請時に前記第２動画を再び再生すること
をコンピュータに実行させるためのプログラム。
【請求項１６】
ユーザの端末機に提供された第１動画の再生前または再生途中に前記端末機に第２動画を提供し、
前記端末機で前記第２動画の再生が終了または中断した後、前記第１動画が再生されている間に前記第２動画に対するリコールバナー（ｒｅｃａｌｌ  ｂａｎｎｅｒ）を提供し、
前記端末機から前記リコールバナーを通じて前記第２動画に対するリコール要請が受信されると、前記端末機に前記第２動画を再び提供すること
をコンピュータに実行させるためのプログラム。
【発明の詳細な説明】
【技術分野】
【０００１】
本発明の実施形態は、動画を利用して広告を提供するシステムおよびその方法に関する。
【背景技術】
【０００２】
動画を利用した一般的な広告方法は、ユーザに動画を提供する前または動画を提供している間に一定時間の広告を表示する形態である。
【０００３】
例えば、韓国登録特許第１０−１００１７９６号公報（登録日２０１０年１２月０９日）には、動画から広告キーワードを抽出し、広告キーワードと関連する広告を提供する技術が開示されている。
【０００４】
しかし、既存の広告映像は、表示または再生が１回のみ実行され、広告映像が終了したりスキップ（ｓｋｉｐ）処理された後には、ユーザが広告映像を再視聴することが不可能であった。
【０００５】
また、国内／外的にも、動画の消費に広告業界が急速に対応している趨勢にあるが、これに歩調を合わせた新たな形態の広告映像サービスは不完全な状況である。
【先行技術文献】
【特許文献】
【０００６】
【特許文献１】韓国登録特許第１０−１００１７９６号公報
【発明の概要】
【発明が解決しようとする課題】
【０００７】
ユーザの動画視聴を阻害せずに広告主が高い広告効果を得ることができるシステムおよびその方法を提供する。
【０００８】
モバイル環境を利用して効果的な動画広告をサービスすることができるシステムおよびその方法を提供する。
【課題を解決するための手段】
【０００９】
コンピュータで実現される動画提供方法であって、第１動画の再生前または再生途中に前記第１動画に対して提供された第２動画を再生し、前記第２動画の再生が終了または中断すると前記第１動画を再生し、前記第１動画が再生されている間に前記第２動画をリコール（ｒｅｃａｌｌ）するためのリコールＵＩ（ｕｓｅｒ  ｉｎｔｅｒｆａｃｅ）を活性化し、および前記リコールＵＩによる前記第２動画に対するリコール要請時に前記第２動画を再び再生することを含む動画提供方法が提供される。
【００１０】
一実施形態によると、前記リコールＵＩを活性化することは、前記第１動画が再生される画面上にバナー（ｂａｎｎｅｒ）形態で構成された前記リコールＵＩを表示してもよい。
【００１１】
他の一実施形態によると、前記リコールＵＩを活性化することは、前記第１動画が再生されている間に一時停止状態になると、前記第１動画が一時停止している画面上に前記リコールＵＩを表示してもよい。
【００１２】
さらに他の一実施形態によると、前記リコールＵＩを活性化することは、前記第１動画が再生される画面で前記第１動画と関連するＵＩが活性化すると、前記画面上に前記リコールＵＩを表示してもよい。
【００１３】
さらに他の一実施形態によると、前記リコールＵＩは、前記第１動画と関連するＵＩが表示される領域または前記領域と隣接した領域に表示されてもよい。
【００１４】
さらに他の一実施形態によると、前記第２動画を再生することは、前記第２動画が再生される画面上にイメージまたはテキスト形態で製作された第２動画タイトルを表示し、前記リコールＵＩを活性化することは、前記第１動画が再生される画面上に前記第２動画タイトルと同一あるいは類似した形状のバナーで構成された前記リコールＵＩを表示してもよい。
【００１５】
さらに他の一実施形態によると、前記広告映像を再び再生することは、前記第１動画が再生される画面を前記第２動画が再生される画面に切り換えたり、前記第１動画が再生される画面上に前記第２動画が再生される画面をレイヤ形態で表示してもよい。
【００１６】
さらに他の一実施形態によると、前記第２動画は、前記第１動画の再生前または再生途中に提供される広告映像であってもよい。
【００１７】
コンピュータで実現される動画提供方法であって、ユーザの端末機に提供された第１動画の再生前または再生途中に前記端末機に第２動画を提供し、前記端末機で前記第２動画の再生が終了または中断した後、前記第１動画が再生されている間に前記第２動画に対するリコールバナー（ｒｅｃａｌｌ  ｂａｎｎｅｒ）を提供し、および前記端末機から前記リコールバナーを通じて前記第２動画に対するリコール要請が受信されると、前記端末機に前記第２動画を再び提供することを含む動画提供方法が提供される。
【００１８】
一実施形態によると、前記第２動画に対するリコールバナーを提供することは、前記端末機で前記第１動画が再生されている間に一時停止状態になったり前記第１動画と関連したＵＩが活性化すると、前記リコールバナーを提供してもよい。
【００１９】
他の一実施形態によると、前記第２動画は、前記第２動画が再生される画面上にイメージまたはテキスト形態で製作された第２動画タイトルが表示されるように構成され、前記第２動画に対するリコールバナーを提供することは、前記第２動画タイトルと同一あるいは類似した形状で構成された前記リコールバナーを提供してもよい。
【００２０】
少なくとも１つのプログラムがローディングされたメモリ、および少なくとも１つのプロセッサを備え、前記少なくとも１つのプロセッサは、前記プログラムの制御に応じ、第１動画の再生前または再生途中に前記第１動画に対して提供された第２動画を再生する過程、前記第２動画の再生が終了または中断すると前記第１動画を再生し、前記第１動画が再生されている間に前記第２動画をリコールするためのリコールＵＩを活性化し、前記リコールＵＩによる前記第２動画に対するリコール要請時に前記第２動画を再び再生することを処理し、前記リコールＵＩを活性化することは、前記第１動画が再生される画面上にバナー形態で構成された前記リコールＵＩを表示することを特徴とする動画提供システムが提供される。
【００２１】
少なくとも１つのプログラムがローディングされたメモリ、および少なくとも１つのプロセッサを備え、前記少なくとも１つのプロセッサは、前記プログラムの制御に応じ、ユーザの端末機に提供された第１動画の再生前または再生途中に前記端末機に第２動画を提供し、前記端末機で前記第２動画の再生が終了または中断した後、前記第１動画が再生されている間に前記第２動画に対するリコールバナーを提供し、前記端末機から前記リコールバナーを通じて前記第２動画に対するリコール要請が受信されると、前記端末機に前記第２動画を再び提供することを処理して動画提供システムが提供される。
【００２２】
コンピュータによって実行されるプログラムであって、第１動画の再生前または再生途中に前記第１動画に対して提供された第２動画を再生し、前記第２動画の再生が終了または中断すると前記第動画を再生し、前記第１動画が再生されている間に前記第２動画をリコール（ｒｅｃａｌｌ）するためのリコールＵＩ（ｕｓｅｒ  ｉｎｔｅｒｆａｃｅ）を活性化し、前記リコールＵＩによる前記第２動画に対するリコール要請時に前記第２動画を再び再生することを実行させるためのプログラムが提供される。
【００２３】
コンピュータによって実行されるプログラムであって、ユーザの端末機に提供された第１動画の再生前または再生途中に前記端末機に第２動画を提供し、前記端末機で前記第２動画の再生が終了または中断した後、前記第１動画が再生されている間に前記第２動画に対するリコールバナー（ｒｅｃａｌｌ  ｂａｎｎｅｒ）を提供し、前記端末機から前記リコールバナーを通じて前記第２動画に対するリコール要請が受信されると、前記端末機に前記第２動画を再び提供することを実行させるためのプログラムが提供される。
【発明の効果】
【００２４】
本発明の一実施形態によると、動画利用中にリコール（ｒｅｃａｌｌ）可能な広告を提供することにより、常套的な商品広告だけに留まるのではなく、１つのコンテンツジャンルに拡張する要求を反映することができ、ユーザには広告映像を再び視聴できるようにすることで、広告映像に対するユーザの再視聴の要求を満たすことができる。
【００２５】
本発明の一実施形態によると、動画が一時停止したり動画のＵＩが活性化した時点にリコール可能な広告映像のバナーを表示させることにより、固定バナーよりも効果的に広告を認知させることができ、広告主は高い広告効果を享受できるようにする。
【００２６】
本発明の一実施形態によると、動画の視聴を最大限妨害しない環境で、ユーザの要請に応じて視聴中の動画を一時停止させると同時に広告映像を再び呼び込むことにより、ユーザの動画視聴を阻害する程度を低くすることができる。
【図面の簡単な説明】
【００２７】
【図１】本発明の一実施形態において、広告提供環境の例を説明するための図である。
【図２】本発明の一実施形態において、コンピュータシステムの内部構成の一例を説明するためのブロック図である。
【図３】本発明の一実施形態において、プリロール広告表示過程の一例を説明するための図である。
【図４】本発明の一実施形態において、プリロール広告表示過程の一例を説明するための図である。
【図５】本発明の一実施形態において、プリロール広告表示過程の一例を説明するための図である。
【図６】本発明の一実施形態において、プリロール広告表示過程の一例を説明するための図である。
【図７】本発明の一実施形態において、プリロール広告表示過程の一例を説明するための図である。
【図８】本発明の一実施形態において、プリロール広告表示過程の一例を説明するための図である。
【図９】本発明の一実施形態において、プリロール広告表示過程の一例を説明するための図である。
【図１０】本発明の一実施形態において、ミッドロール広告表示過程の一例を説明するための図である。
【図１１】本発明の一実施形態において、ミッドロール広告表示過程の一例を説明するための図である。
【図１２】本発明の一実施形態において、ミッドロール広告表示過程の一例を説明するための図である。
【図１３】本発明の一実施形態において、ユーザ端末機の動画提供方法を示したフローチャートである。
【図１４】本発明の一実施形態において、パブリッシャの動画提供方法を示したフローチャートである。
【発明を実施するための形態】
【００２８】
以下、本発明の実施形態について、添付の図面を参照しながら詳細に説明する。
【００２９】
図１は、本発明の一実施形態において、広告提供環境の例を説明するための図である。このとき、図１は、広告主１１０、広告プラットホーム１２０、パブリッシャ１３０、およびユーザ１４０を示している。ここで、広告主１１０とユーザ１４０は、実質的には広告主１１０やユーザ１４０が利用するＰＣ（Ｐｅｒｓｏｎａｌ  Ｃｏｍｐｕｔｅｒ）やスマートフォンなどの端末機を意味してもよい。すなわち、図１において、広告主１１０、広告プラットホーム１２０、パブリッシャ１３０、およびユーザ１４０の間に示された矢印は、広告主１１０が利用する端末機、広告プラットホーム１２０、パブリッシャ１３０、およびユーザ１４０が利用する端末機の間に有／無線ネットワークを利用してデータが送受信されることを意味してもよい。
【００３０】
広告プラットホーム１２０は、広告主１１０の広告に対する入札、広告とキーワードの間のマッチング、広告や広告主の整列、パブリッシャ１３０への広告提供、および広告の表示による課金などを実行するシステムを意味してもよい。広告プラットホーム１２０の一般的かつ技術的な事項のうち、インターネットを通じて伝達される検索広告および／またはバナー広告プラットホームに関し、従来技術を参照して理解できる事項については説明を省略する。
【００３１】
本明細書において、「パブリッシャ」という用語は「サイト」という用語に置き換えて使用されてもよい。ただし、サイトという用語を使用した説明は、モバイル端末機で実行されるアプリケーション画面など一般的なＰＣのウェブサイト接続ではない環境における本発明の実施可能性を排除するものではない。これとは逆に、「サイト」という用語は、パブリッシングサイトまたは上述した「パブリッシャ」という用語に互換して使用されてもよい。言い換えれば、それぞれのサイトは、パブリッシャ１３０が含む個別パブリッシャ（第１パブリッシャ、第２パブリッシャ、・・・）に対応してもよい。このとき、「サイト」という用語は、広告の表示が可能で、有線ネットワークまたは無線ネットワークを通じてユーザ１４０に提供可能なすべての種類のウェブサイトを含んでもよく、ウェブサイトを構成する１つのウェプページを意味してもよい。
【００３２】
また、本明細書において、広告の「表示」とは、サイト（パブリッシャ）を通じて広告主１１０と関連するテキスト、イメージなど、音、動画、ハイパーリンクなどの広告コンテンツが該当するサイトの訪問者に提供されることを含むように解釈されてもよい。さらに、表示された広告に対する「選択」とは、ユーザ１４０（一例として、上述したサイト訪問者）がサイトを通じて提供されたテキストやイメージなどの広告コンテンツに対してマウスクリックやタッチスクリーンに対するタッチなどの反応を示すものであって、広告主１１０が広告コンテンツの伝達によって達成しようとした状況が発生することを意味してもよい。このとき、広告主１１０が誘導した状況は、一例として、広告を選択した訪問者に広告主１１０と関連するページが表示される状況や、訪問者が広告主１１０と関連するページで会員加入または商品購買などのような行為を実行することを含んでもよい。
【００３３】
パブリッシャ１３０はユーザ１４０に自身のサイトを提供してもよく、サイトを通じてサイトが含むページを提供したり、入力されたキーワードを通じてキーワードに対する検索結果をユーザ１４０に提供してもよい。このとき、パブリッシャ１３０は、ページを通じて表示するための広告を広告プラットホーム１２０から伝達してユーザ１４０に提供してもよい。例えば、パブリッシャ１３０は、ユーザ１４０が入力したキーワードに適合する広告を広告プラットホーム１２０から伝達して検索結果としてユーザ１４０に提供してもよい。
【００３４】
パブリッシャ１３０は、ユーザ１４０が直接広告の提供を受ける経路（画面）を提供してもよく、一般的なオンライン環境において、広告はウェブサイトを通じて提供されてもよい。ここで、広告プラットホーム１２０が含む複数の個別広告プラットホーム（第１広告プラットホーム、第２広告プラットホーム、・・・）それぞれは、パブリッシャ１３０が含む複数の個別パブリッシャ（第１パブリッシャ、第２パブリッシャ、・・・）のうち少なくとも１つの個別パブリッシャを通じて広告を表示してもよい。また、複数の個別パブリッシャそれぞれは、少なくとも１つのサイトを通じて上述した広告をユーザ１４０に表示してもよく、このような広告の表示の他に、統合検索、カフェ／ブログサービス、ソーシャルネットワークサービスなどのように有／無線ネットワークを通じて提供可能な多様なサービスのうち少なくとも１つをさらに提供してもよい。
【００３５】
本発明の実施形態で説明する動画提供システムは、実施形態に応じて複数の個別広告プラットホームのうち１つの広告プラットホームを構成するコンピュータシステムであったり、複数の個別パブリッシャのうち１つのパブリッシャを構成するコンピュータシステムであったり、またはユーザ１４０の端末機を構成するコンピュータシステムであってもよい。
【００３６】
図１において、ファイル配布システム１５０は、必要に応じて選択的に利用されてもよい。例えば、ユーザ１４０がモバイル端末機を利用する場合、ファイル配布システム１５０は、パブリッシャ１３０と関連するアプリケーションをモバイル端末機にインストールするためのファイルをユーザ１４０に提供してもよい。このために、ファイル配布システムは、上述したファイルを格納および保持するファイル管理部と、ユーザ１４０のモバイル端末機の要請に応じてモバイル端末機に上述したファイルを送信するファイル送信部を備えてもよい。送信されたファイルを利用してモバイル端末機にアプリケーションがインストールされてもよく、アプリケーションは、モバイル端末機が本発明の一実施形態に係る動画提供方法を実行するようにモバイル端末機を制御してもよい。
【００３７】
図２は、本発明の一実施形態において、コンピュータシステムの内部構成の一例を説明するためのブロック図である。コンピュータシステム２００は、少なくとも１つのプロセッサ（ｐｒｏｃｅｓｓｏｒ）２１０、メモリ（ｍｅｍｏｒｙ）２２０、周辺装置インタフェース（ｐｅｒｉｐｈｅｒａｌ  ｉｎｔｅｒｆａｃｅ）２３０、入／出力サブシステム（Ｉ／Ｏ  ｓｕｂｓｙｓｔｅｍ）２４０、電力回路２５０、および通信回路２６０を少なくとも備えてもよい。
【００３８】
このような図２の実施形態は、コンピュータシステム２００の一例に過ぎず、コンピュータシステム２００は、図２に示されていない追加のコンポーネントをさらに備えたり、２つ以上のコンポーネントを結合させる構成または配置を有してもよい。例えば、モバイル端末機のためのコンピュータシステムは、図２に示されたコンポーネントの他にも、タッチスクリーンやセンサなどをさらに備えてもよく、通信回路２６０にＲＦ通信のための回路が備えられてもよい。コンピュータシステム２００に備えることができるコンポーネントは、１つ以上の信号処理またはアプリケーションに特化された集積回路を備えるハードウェア、ソフトウェア、またはハードウェアおよびソフトウェアの組み合わせによって実現されてもよい。
【００３９】
メモリ２２０は、一例として、高速ランダムアクセスメモリ（ｈｉｇｈ−ｓｐｅｅｄ  ｒａｎｄｏｍ  ａｃｃｅｓｓ  ｍｅｍｏｒｙ）、磁気ディスク、エスラム（ＳＲＡＭ）、ディーラム（ＤＲＡＭ）、ロム（ＲＯＭ）、フラッシュメモリ、または非揮発性メモリを含んでもよい。メモリ２２０は、コンピュータシステム２００の動作に必要なソフトウェアモジュール、命令語集合、またはその他にも多様なデータを含んでもよい。このとき、プロセッサ２１０や周辺装置インタフェース２３０などの他のコンポーネントからメモリ２２０にアクセスすることは、プロセッサ２１０によって制御されてもよい。
【００４０】
周辺装置インタフェース２３０は、コンピュータシステム２００の入力および／または出力周辺装置をプロセッサ２１０およびメモリ２２０に結合させてもよい。プロセッサ２１０は、メモリ２２０に格納されたソフトウェアモジュールまたは命令語集合を実行し、コンピュータシステム２００のための多様な機能を実行してデータを処理してもよい。
【００４１】
入／出力サブシステム２４０は、多様な入／出力周辺装置を周辺装置インタフェース２３０に結合させてもよい。例えば、入／出力サブシステム２４０は、モニタやキーボード、マウス、プリンタ、または必要に応じてタッチスクリーンやセンサなどの周辺装置を周辺装置インタフェース２３０に結合させるためのコントローラを含んでもよい。他の実施形態によると、入／出力周辺装置は、入／出力サブシステム２４０を経ずに周辺装置インタフェース２３０に結合してもよい。
【００４２】
電力回路２５０は、端末機のコンポーネントの全部または一部に電力を供給してもよい。例えば、電力回路２５０は、電力管理システム、バッテリや交流（ＡＣ）などのような１つ以上の電源、充電システム、停電検出回路（ｐｏｗｅｒ  ｆａｉｌｕｒｅ  ｄｅｔｅｃｔｉｏｎ  ｃｉｒｃｕｉｔ）、電力変換器やインバータ、電力状態表示子、または電力生成、管理、分配のための任意の他のコンポーネントを含んでもよい。
【００４３】
通信回路２６０は、少なくとも１つの外部ポートを利用して他のコンピュータシステムと通信が可能なようにしてもよい。また、上述したように、必要に応じて通信回路２６０はＲＦ回路を含み、電磁気信号（ｅｌｅｃｔｒｏｍａｇｎｅｔｉｃ  ｓｉｇｎａｌ）としても周知であるＲＦ信号を送受信することにより、他のコンピュータシステムとの通信を可能にしてもよい。
【００４４】
以下、第１動画の再生前または再生途中に第１動画と関連する他の動画である第２動画を提供するサービスモデルについての具体的な実施形態を説明する。このとき、広告映像を第２動画の代表的な例として説明することにする。
【００４５】
まず、広告主は、広告プラットホームが提供する広告主ページを通じて広告を構成するための広告素材を広告プラットホームに登録してもよい。このとき、広告素材は映像コンテンツであって、イメージまたは動画形態の素材で構成されてもよく、Ｔ＆Ｄ（ｔｉｔｌｅ  ａｎｄ  ｄｅｓｃｒｉｐｔｉｏｎ）、代表イメージなどがさらに含まれてもよい。さらに、広告主は、各広告素材別にキーワードを共に登録してもよい。
【００４６】
これにより、広告プラットホームは、広告主によって登録された広告素材である映像コンテンツ（以下、「広告映像」と称する）を広告主と関連して登録してもよい。さらに、広告プラットホームは、登録されたキーワードを広告映像と関連して格納および管理してもよい。
【００４７】
一方、パブリッシャは、サイトを通じてユーザに各種動画コンテンツ（以下、「動画」と称する）を提供してもよく、このとき、広告プラットホームから広告映像を伝達して動画と共にユーザに提供してもよい。広告プラットホームは、動画とは無関係な広告映像を無作為に選択して提供したり、動画と関連性のある広告映像を抽出して提供してもよい。例えば、動画と関連性のある広告映像は、動画から抽出されたキーワードを広告映像と関連して登録されたキーワードと比較した結果に応じて選択されてもよい。キーワード間の比較は、単語（キーワード）間の連関性を測定するための技術が利用されてもよい。
【００４８】
パブリッシャは、広告プラットホームで提供された広告映像を動画プレーヤ内で表示させるインストリーム（ｉｎ−ｓｔｒｅａｍ）タイプで構成してもよく、動画の再生前、再生中、再生後のうち少なくとも１つの時点にインストリーム広告を表示してもよい。広告映像の再生時期に応じ、広告映像をプリロール（ｐｒｅ−ｒｏｌｌ）広告、ミッドロール（ｍｉｄ−ｒｏｌｌ）広告、ポストロール（ｐｏｓｔ−ｒｏｌｌ）広告に区分してもよい。
【００４９】
図３〜図９は、本発明の一実施形態において、プリロール広告表示過程の一例を説明するための図である。図３〜図９は、ユーザのモバイル端末機に動画と広告映像が表示される画面を示している。一例として、図３〜図９は、ユーザの端末機で実行される動画プレーヤ、すなわちパブリッシャと関連する動画プレーヤの実行画面であってもよい。
【００５０】
図３は、プリロール広告画面の例を示している。プリロール広告画面は、広告映像が再生される画面（以下、「広告画面」と称する）３００で構成されてもよい。図４を参照すると、広告映像再生時にユーザが広告画面４００をタッチした場合、広告画面４００の一側領域（例えば、上端）には広告映像タイトル４０１が、他の一側領域（例えば、下端）には広告映像の再生を制御するためのプレーヤＵＩ（ｕｓｅｒ  ｉｎｔｅｒｆａｃｅ）４０２が表示されてもよい。このとき、広告映像タイトル４０１は、イメージやテキスト形態で製作されてもよい。また、広告映像プレーヤＵＩ４０２は、一時停止や再生などの機能ボタンが含まれたＵＩバー（ｂａｒ）で構成されてもよい。この後、ユーザが広告画面４００を再びタッチしたり一定時間が経過すると、広告画面４００から広告映像タイトル４０１と広告映像のプレーヤＵＩ４０２が消える。また、広告映像の再生が始まってから一定時間（例えば、５秒）が経過すると、図５に示すように、広告画面５００の一領域（例えば、下端右側）に広告映像をスキップさせることができる機能（ｓｋｉｐ）のスキップＵＩ５０３が表示されてもよい。
【００５１】
広告画面５００でスキップＵＩ５０３をタッチした場合、広告映像の再生が中断され、図６に示すように、広告画面５００から動画が再生される画面（以下、「動画画面」と称する）６００に切り換わった後、動画画面６００を通じて動画再生が始まる。広告画面５００でスキップＵＩ５０３をタッチせずに広告映像の再生が終了した場合にも、同じように動画画面６００を通じて自動的に動画再生が始まる。
【００５２】
図７を参照すると、動画再生時にユーザが動画画面７００をタッチした場合、動画画面７００の一側領域（例えば、下端）で動画の再生を制御するためのプレーヤＵＩ７０１が表示されてもよい。このとき、動画プレーヤＵＩ７０１は、一時停止や再生などの機能ボタンが含まれたＵＩバーで構成されてもよい。図８を参照すると、動画画面８００で動画プレーヤＵＩ８０１が表示されてから一定時間（例えば、１秒）が経過すると、動画プレーヤＵＩ８０１が上に押し上げられながら動画再生前に再生された広告映像をリコールするリコールバナー８０２が表示されてもよい。このとき、リコールバナー８０２は、イメージやテキスト形態で製作されてもよい。また、リコールバナー８０２は、図４を参照しながら説明した広告映像タイトル４０１と同一あるいは類似した形状で構成されてもよく、これにより、リコールバナー８０２はユーザが以前見ていた広告映像のリコールの役割をするということを、容易に認知させることができる。このとき、動画画面８００で一定時間内にいずれの動作もなされない場合、動画画面８００に表示された要素（動画プレーヤＵＩ８０１、リコールバナー８０２など）を隠すよう処理されてもよい。また、動画画面８００で表示された要素を除いた領域をタッチする場合、同じように動画画面８００に表示された要素を隠すよう処理されてもよい。
【００５３】
図９を参照すると、動画画面９００でリコールバナー９０２をタッチした場合、動画の再生が一時停止されながら動画画面９００が消え、広告画面５００が自動的に表示されてもよい。このとき、広告画面５００には、動画再生前に再生された広告映像がリコールされて再び再生されてもよい。そして、リコールされた広告映像の再生初期から、広告画面５００にスキップＵＩ５０３が表示されてもよい。広告画面５００でスキップＵＩ５０３をタッチしたり、広告画面５００でスキップＵＩ５０３をタッチせずにリコールされた広告映像の再生が終了した場合には、動画の一時停止時点に復帰して視聴中の動画が自動再生されてもよい。
【００５４】
図１０〜図１２は、本発明の一実施形態において、ミッドロール広告表示過程の一例を説明するための図である。図１０〜図１２は、ユーザのモバイル端末機に動画と広告映像が表示される画面を示している。
【００５５】
図１０を参照すると、動画再生途中にバッファリング（ｂｕｆｆｅｒｉｎｇ）がなされるとき、動画画面１０００上に広告画面１０１０がポップアップ（ｐｏｐ−ｕｐ）して表示されてもよい。広告画面１０１０は、動画画面１０００上にレイヤ形態で中央に整列されて表示されてもよく、広告画面１０１０の一側領域（例えば、上端）で広告映像タイトル１０１１が共に表示されてもよい。このとき、広告映像タイトル１０１１は、イメージやテキスト形態で製作されてもよい。動画画面１０００上に広告画面１０１０がポップアップすると、広告画面１０１０を通じて広告映像が再生されるようになり、動画バッファリングが完了した後には広告映像の再生が終了しながら広告画面１０１０が消え、視聴中の動画が自動再生されてもよい。
【００５６】
図１１を参照すると、広告映像終了後の動画再生時にユーザが動画画面１１００をタッチした場合、動画画面の一側領域（例えば、下端）で動画の再生を制御するためのプレーヤＵＩ１１０１が表示されてもよい。このとき、動画プレーヤＵＩ１１０１は、一時停止や再生などの機能ボタンが含まれたＵＩバーで構成されてもよい。動画画面１１００で動画プレーヤＵＩ１１０１が表示されてから一定時間（例えば、１秒）が経過すると、図１１に示すように、動画プレーヤＵＩ１１０１が上に押し上げられながら、動画バッファリング時に再生された広告映像をリコールするリコールバナー１１０２が表示されてもよい。このとき、リコールバナー１１０２は、図１０を参照しながら説明した広告映像タイトル１０１１と同一あるいは類似した形状で構成されてもよく、これにより、リコールバナー１１０２はユーザが以前に見ていた広告映像のリコールの役割をするということを容易に認知させることができる。また、動画画面１１００で一定時間内にいずれの動作もなされなかった場合、動画画面１１００に表示された要素（動画プレーヤＵＩ１１０１、リコールバナー１１０２など）を隠すよう処理されてもよい。また、動画画面１１００で表示された要素を除いた領域をタッチする場合、同じように動画画面１１００に表示された要素を隠すよう処理されてもよい。
【００５７】
図１２を参照すると、動画画面１２００でリコールバナー１２０２をタッチした場合、動画の再生が一時停止され、一時停止した動画画面１２００上に広告画面１０１０がレイヤ形態で再び自動表示されてもよい。このとき、広告画面１０１０には、動画再生前に再生された広告映像がリコールされて再び再生されてもよい。また、リコールされた広告映像の再生初期から、広告画面１０１０に広告映像を終了するための機能であるクローズ（ｃｌｏｓｅ）ＵＩ１０１２が表示されてもよい。広告画面１０１０でクローズＵＩ１０１２をタッチしたり、広告画面１０１０でクローズＵＩ１０１２をタッチせずにリコールされた広告映像の再生が終了した場合、レイヤしていた広告画面１０１０が消えて動画の一時停止時点に復帰し、視聴中の動画が自動再生されてもよい。
【００５８】
以上では、ユーザのモバイル端末機に広告映像が表示される実施形態について説明したが、これは発明の理解を助けるための例示的なものに過ぎず、本発明がこのような実施形態に限定されることはない。例えば、動画画面や広告画面を構成するレイアウトはもちろん、動画画面または広告画面に表示される要素、要素表示方式や順序、さらには画面間の切り換え方式や順序などはいくらでも変更が可能である。
【００５９】
図１３は、本発明の一実施形態において、ユーザ端末機の動画提供方法を示したフローチャートである。本実施形態に係る動画提供方法は、ユーザの端末機に対応する動画提供システムによって実行されてもよい。
【００６０】
ステップＳ１３０１で、動画提供システムは、パブリッシャにアクセスして広告映像が含まれた動画コンテンツが提供されてもよく、予め設定された広告再生時期に応じて動画再生前または再生途中に広告映像を再生してもよい。一例として、動画提供システムは、動画を再生する前に先に広告映像を再生してもよい（プリロール広告）。他の例として、動画提供システムは、動画が再生されている途中にバッファリングがなされた場合、動画バッファリングの間に広告映像を再生してもよい（ミッドロール広告）。このとき、広告映像が再生される広告画面は、単独画面で構成されたり、動画画面上にレイヤ形態で表示されるポップアップ画面で構成されてもよい。
【００６１】
ステップＳ１３０２〜Ｓ１３０３で、動画提供システムは、広告映像の再生が中断または終了すると動画を再生してもよい。一例として、動画提供システムは、プリロール広告の場合、広告映像が終了したりユーザからスキップ要請が入力されると、動画の再生を開始してもよい。他の例として、動画提供システムは、ミッドロール広告の場合、動画バッファリングが完了すると、バッファリングによって一時停止した時点から動画を再び再生してもよい。
【００６２】
ステップＳ１３０４〜Ｓ１３０５で、動画提供システムは、ユーザ要請に応じて再生中の動画が一時停止したり、動画と関連するＵＩ（一例として、動画プレーヤＵＩなど）の呼び出しが発生する場合、ステップＳ１３０１で再生された広告映像をリコールするＵＩ環境を提供してもよい。一例として、動画提供システムは、動画画面の所定位置に広告映像に対するリコールＵＩをバナー形態で表示してもよい（図８の８０２および図１１の１１０２を参照）。例えば、リコールバナーは、動画画面の下端に表示されたり、あるいは動画画面に動画プレーヤＵＩが表示されるときに動画プレーヤＵＩの上または動画プレーヤＵＩと隣接した位置にリコールバナーが表示されてもよい。これは例示的なものであって、リコールバナーの表示位置や表示方式はいくらでも変更が可能である。動画に対して広告映像が１回再生された後には、いつでも位置や形式などに制約されずに該当の広告映像に対するリコールＵＩの表示が可能であるが、一例として、リコールバナーを動画が一時停止している状態またはＵＩが表示された状態の動画画面で表示することにより、ユーザの動画視聴を妨害せずに該当の広告を認知させることができる。
【００６３】
ステップＳ１３０６〜Ｓ１３０７で、動画提供システムは、ユーザから広告リコール命令が入力されると再生中の動画を一時停止し、ステップＳ１３０１で再生された広告映像を再び呼び込んで再生してもよい。このとき、リコールされた広告映像は、ステップＳ１３０１で再生された広告映像と同じ広告画面によって再生されてもよい。ユーザは、動画再生中に１回以上視聴したことのある広告映像を再び呼び込んで再視聴してもよい。
【００６４】
ステップＳ１３０８〜Ｓ１３０９で、動画提供システムは、ユーザが再視聴中の広告映像の再生が中断または終了すると、ステップＳ１３０７での一時停止時点に復帰し、動画を一時停止した時点から再び再生してもよい。
【００６５】
ステップＳ１３１０で、動画提供システムは、動画が終わると上述したすべての過程を終え、動画が再生されている間には上述した過程Ｓ１３０４〜Ｓ１３０９を経て広告映像のリコールが可能な環境を支援してもよい。
【００６６】
図１３の実施形態に係る動画提供システムに対応する端末機は、端末機にインストールされるアプリケーションの制御に応じて図１３の実施形態に係る動画提供方法を実行してもよい。この場合、アプリケーションは、動画提供方法に含まれるステップを端末機が実行するように端末機を制御するためのモジュールを備えてもよい。このようなアプリケーションのインストールのためのファイルを配布するファイル配布システムについては、図１のファイル配布システム１５０を参照しながら上述したとおりである。
【００６７】
図１４は、本発明の一実施形態において、パブリッシャの動画提供方法を示したフローチャートである。本実施形態に係る動画提供方法は、パブリッシャに対応する動画提供システムによって実行されてもよい。
【００６８】
ステップＳ１４０１で、動画提供システムは、ユーザへの動画提供時に、広告プラットホームから広告映像が伝達されて動画と共にユーザに提供してもよい。このとき、広告プラットホームでは、動画とは無関係な広告映像を無作為に選択して提供したり、動画と関連性のある広告映像を抽出して提供してもよい。上述したように、動画提供システムは、広告映像を動画が再生される前にプリロール形態で提供したり、または動画再生途中のバッファリング時にミッドロール形態で提供してもよい。このような広告映像が終了したりスキップによって中断される場合には、メインコンテンツである動画が再生されてもよい。
【００６９】
ステップＳ１４０２で、動画提供システムは、ユーザ端末機で再生中の動画が一時停止したり、再生中に動画と関連するＵＩ（一例として、動画プレーヤＵＩなど）が活性化する場合、ユーザの端末機から動画の状態を受信し、ステップＳ１４０１で提供した広告映像に対するリコールバナーを提供してもよい。このとき、リコールバナーには、ステップＳ１４０１で提供した広告映像をリコールするＵＩ要素が含まれてもよく、ユーザの端末機で動画画面上に表示されてもよい。
【００７０】
ステップＳ１４０３で、動画提供システムは、ユーザがリコールバナーを通じて広告映像に対する再視聴を要求する場合、ユーザの端末機から広告リコール要請を受信し、ステップＳ１４０１で提供した広告映像を再びユーザに提供してもよい。
【００７１】
図１３と図１４を参照しながら説明した動画提供方法は、図１〜図１２を参照しながら説明した詳細内容を参照してもよく、これに基づいてより短縮された動作または追加の動作を含んでもよい。また、２つ以上の動作が組み合わされてもよく、動作の順序や位置が変更されてもよい。
【００７２】
このように、本発明の実施形態によると、動画利用中にリコール（ｒｅｃａｌｌ）可能な広告を提供することにより、常套的な商品広告だけに留まるのではなく、１つのコンテンツジャンルに拡張する要求を反映することができ、ユーザには広告映像を再び視聴できるようにすることにより、広告映像に対するユーザの再視聴の要求を満たすことができる。また、本発明の実施形態によると、動画が一時停止したり動画のＵＩが活性化した時点にリコール可能な広告映像のバナーを表示させることにより、固定バナーよりも効果的に広告を認知させることができ、広告主にはより高い広告効果を享受できるようにする。さらに、本発明の実施形態によると、動画の視聴を最大限妨害しない環境で、ユーザの要請に応じて視聴中の動画を一時停止させると同時に広告映像を再び呼び込むことにより、ユーザの動画視聴を阻害する程度を低くすることができる。
【００７３】
上述した装置は、ハードウェア構成要素、ソフトウェア構成要素、および／またはハードウェア構成要素およびソフトウェア構成要素の組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる異なる装置のように、１つ以上の汎用コンピュータまたは特殊目的コンピュータを利用して実現されてもよい。処理装置は、運営体制（ＯＳ）および運営体制上で実行される１つ以上のソフトウェアアプリケーションを実行してもよい。また、処理装置は、ソフトウェアの実行に応答し、データをアクセス、保存、操作、処理、および生成してもよい。理解の便宜のために、処理装置は１つが使用されると説明される場合もあるが、該当する技術分野において通常の知識を有する者は、処理装置が複数の処理要素（ｐｒｏｃｅｓｓｉｎｇ  ｅｌｅｍｅｎｔ）および／または複数類型の処理要素を含んでもよい。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００７４】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらのうちの１つ以上の組み合わせを含んでもよく、所望とおりに動作するように処理装置を構成したり、独立的または結合的に（ｃｏｌｌｅｃｔｉｖｅｌｙ）処理装置を命令したりしてもよい。ソフトウェアおよび／またはデータは、処理装置によって解釈されたり処理装置に命令またはデータを提供したりするために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ記録媒体または装置、または送信される信号波（ｓｉｇｎａｌ  ｗａｖｅ）に永久的または一時的に具体化（ｅｍｂｏｄｙ）されてもよい。ソフトウェアは、ネットワークによって連結したコンピュータシステム上に分散し、分散した方法によって格納されたり実行されたりしてもよい。ソフトウェアおよびデータは、１つ以上のコンピュータで読み取り可能な記録媒体に格納されてもよい。
【００７５】
実施形態に係る方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェア当業者に公知されて使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【００７６】
以上のように、実施形態を限定された実施形態と図面に基づいて説明したが、該当する技術分野において通常の知識を有する者であれば、上述した記載から多様な修正および変形が可能であることが理解できるであろう。例えば、説明された技術が説明された方法とは異なる順序で実行されたり、および／または説明されたシステム、構造、装置、回路などの構成要素が説明された方法とは異なる形態で結合または組み合わされたり、他の構成要素または均等物によって対置されたり置換されたとしても、適切な結果を達成することができる。
【００７７】
したがって、異なる実施形態であっても、特許請求の範囲と均等なものであれば、添付される特許請求の範囲に属する。
【符号の説明】
【００７８】
２１０：プロセッサ
２２０：メモリ
２３０：周辺装置インタフェース
２４０：入／出力サブシステム
２５０：電力回路
２６０：通信回路
【図１】
2015106917.tif 000003
【図２】
2015106917.tif 000004
【図３】
2015106917.tif 000005
【図４】
2015106917.tif 000006
【図５】
2015106917.tif 000007
【図６】
2015106917.tif 000008
【図７】
2015106917.tif 000009
【図８】
2015106917.tif 000010
【図９】
2015106917.tif 000011
【図１０】
2015106917.tif 000012
【図１１】
2015106917.tif 000013
【図１２】
2015106917.tif 000014
【図１３】
2015106917.tif 000015
【図１４】
2015106917.tif 000016